(57)【要約】【課題】ロールペーパーの紙質に対応させて、紙切板の加圧力を良好に調整でき、片手でロールペーパーから紙を引き出し切断して、良好に使用することのできる紙巻器の提供。【解決手段】本体２に装着されたロールペーパーの上面に当接する紙切板４を備え、この紙切板４のロールペーパーへの加圧力を調整できるように、紙切板４の裏側に、取付位置を変更可能におもり２０を取り付ける。【選択図】　　　　　　　　図１
2004121691.tif 000002
【特許請求の範囲】
【請求項１】
装着されたロールペーパーの上面に当接する紙切板を備え、該紙切板の前記ロールペーパーへの加圧力を調整できるように構成したことを特徴とする紙巻器。
【請求項２】
加圧力を発生させることのできるおもりを、前記紙切板に着脱可能に設けるとともに、該おもりは、交換あるいは追加して重さを変更できるように構成したことを特徴とする請求項１に記載の紙巻器。
【請求項３】
加圧力を発生させることのできるおもりを、前記紙切板に着脱可能に設けるとともに、該おもりの取付位置を変更できるように構成したことを特徴とする請求項１に記載の紙巻器。
【請求項４】
前記おもりを、前記紙切板に引掛けて取り付けできるように構成したことを特徴とする請求項２または請求項３に記載の紙巻器。
【発明の詳細な説明】
【０００１】
【発明の属する技術分野】
この発明は、紙巻器に関するものである。
【０００２】
【従来の技術】
従来、片手で紙を引き出し切断することのできるワンハンドカット式紙巻器においては、装着されるロールペーパーの上面に紙切板が加圧されており、その加圧力は一定に設定されているタイプのものがある（例えば、特許文献１参照。）。
【０００３】
【特許文献１】
実開平６−７７６８７号公報
【０００４】
【発明が解決しようとする課題】
なお、装着されるロールペーパーには、ちぎり易い紙質のものや、ちぎり難い紙質のもの等、種々のものが存在し、紙によっては、加圧力が強すぎて紙巻器から引き出せなかったり、逆に加圧力が弱すぎて紙が片手で切れなかったりして、使用に適した紙が限定されてしまうという問題点があった。
【０００５】
【課題を解決するための手段】
本発明は、上記従来の問題点に鑑み案出したものであって、ちぎり易い紙質のロールペーパーであっても、また、ちぎり難い紙質のロールペーパーであっても、良好に片手で引き出し切断して使用することのできる紙巻器を提供せんことを目的とし、その第１の要旨は、装着されたロールペーパーの上面に当接する紙切板を備え、該紙切板の前記ロールペーパーへの加圧力を調整できるように構成したことである。
また、第２の要旨は、加圧力を発生させることのできるおもりを、前記紙切板に着脱可能に設けるとともに、該おもりは、交換あるいは追加して重さを変更できるように構成したことである。
また、第３の要旨は、加圧力を発生させることのできるおもりを、前記紙切板に着脱可能に設けるとともに、該おもりの取付位置を変更できるように構成したことである。
また、第４の要旨は、前記おもりを、前記紙切板に引掛けて取り付けできるように構成したことである。
【０００６】
【発明の実施の形態】
以下、本発明の実施例を図面に基づいて説明する。
図１は、第１実施例の紙巻器の斜視構成図であり、紙巻器１は、ロールペーパーを支持できる支持爪３，３を備えた本体２の上面側に、上下方向に開閉可能に紙切板４が設けられており、この紙切板４は、軸５を介し上下方向に回動できるものであり、先端側には刃６が設けられている。
本例においては、この紙切板４の裏面に、磁石または粘着テープ等で着脱可能におもり２０を取り付けできるように構成されており、おもり２０を、紙切板４の裏面の刃６に近いＰ１の位置に取り付けた場合には、この紙切板４が本体２に装着されたロールペーパーの上面に当接する際に、強い加圧力でロールペーパーの上面に当接されるものとなり、ロールペーパーが厚くちぎり難い紙質の場合でも、良好な加圧力が得られて、片手で切断することができるものとなる。
【０００７】
また、このおもり２０を、紙切板４の裏面の中央部のＰ２の位置に取り付けた場合には、ロールペーパーの紙質がやや薄くて引き出し難い場合にも、良好な加圧力により片手で切断できるものとなる。
また更に、おもり２０を、軸５に近いＰ３の位置に取り付けた場合には、ロールペーパーが、非常に薄く、ちぎり易い紙質の場合にも、良好に引き出して使用することができるものとなる。
このように、おもり２０を紙切板４の裏側に取り付ける位置を変更して、加圧力を良好に調整することができ、あらゆる紙質のロールペーパーに対応できるものとなる。
【０００８】
なお、重さの異なる数種類のおもり２０を用意しておけば、重さの違うものと交換して、更に加圧力を良好に調整することが可能となる。
更には、おもり２０を薄い板状のもので構成しておき、おもり２０の数を追加して、重さを増加させ、加圧力を調整できるように構成することもできる。
【０００９】
図２は、引掛け式でおもりを取り付ける紙切板の分解斜視図を示しており、おもり２０は、おもり収納凹部２１ａを凹み状に形成したおもりケース２１で構成されており、このおもりケース２１の左右の側面には、側方へ突出して係止突片２１ｂ，２１ｂが一対上下に形成されており、一方側の係止突片２１ｂには、ストッパー片２１ｃがＬ字状に設けられている。
一方、紙切板４の裏側の左右両側縁に垂下状に一体形成されている側縁垂下片７，７の内側に、おもりケース２１を着脱可能に引掛けて掛止できる、複数の引掛け片８ａ，８ｂ，８ｃ，８ｄが、刃６側から軸５側に亘り間隔をおいて形成されている。この紙切板４の断面構成図を図３に示す。
【００１０】
このような構成では、おもりケース２１のおもり収納凹部２１ａ内に、板状のおもりを複数枚収納させた状態で、おもり収納凹部２１ａが隠蔽されるように、図２のように反転させて、紙切板４におもりケース２１を取り付けることができる。
この時に、紙切板４の引掛け片８ａ，８ｂに、おもりケース２１の係止突片２１ｂ，２１ｂをスライドさせて引掛け、ストッパー片２１ｃを引掛け片８ｂに当接させて位置決めし、おもりケース２１を、紙切板４の裏側の刃６側のＰ１位置に取り付けることができ、また、引掛け片８ｂ，８ｃに引掛けることにより、紙切板４の中央部のＰ２の位置に取付位置を変更させることができ、更に、引掛け片８ｃと８ｄ間に引掛けることにより、軸５側のＰ３の位置に取付位置を変更させることができるものとなり、取付位置を変更させることで加圧力を適宜調整できるものとなる。
【００１１】
なお、図４の要部拡大図で示すような引掛け片９，９を、紙切板４の裏面に設けておいても良く、図４の引掛け片９は、横Ｌ片９ａと縦Ｌ片９ｂで構成されており、係止突片２１ｂ，ストッパー片２１ｃの存在しない、ほぼ長方形状のおもりケース２１を良好に着脱できるように構成したものである。
このような引掛け片９を、刃６側から軸５側に亘り複数設けておき、おもりケース２１の取付位置を変更させて、紙切板４の加圧力を適宜調整できるものである。
なお、おもりケース２１のおもり収納凹部２１ａ内には、例えば板状のステンレス板２２，２２を、２枚，３枚あるいは４枚収納させて、ステンレス板２２の枚数を追加することにより、重さを変更させて、加圧力を調整できるものである。
【００１２】
次に、図５の分解斜視図で示す紙切板４は、その裏側に、ワンタッチ式着脱テープ（登録商標マジックテープ）１０ａが貼着されており、一方、おもり２０側にもワンタッチ式着脱テープ（登録商標マジックテープ）１０ｂが貼着されており、テープ１０ａに対しテープ１０ｂを係脱させて、おもり２０を紙切板４の裏面の任意の位置に取り付けすることができるように構成したものであり、おもり２０の取付位置を無段階に調節することが可能となり、ロールペーパーの紙質に応じて、おもり２０を適当な位置に取り付けて、紙切板４の加圧力を良好に調整できるものとなる。
【００１３】
次に、図６に示す紙切板４においては、紙切板４の裏側のＰ１の位置に、左右方向に間隔をおいて４個の係入孔１１ａ，１１ａ，１１ａ，１１ａが凹状に形成されており、また、中央部のＰ２の位置にも、４個の係入孔１１ｂ，１１ｂ，１１ｂ，１１ｂが左右に間隔をおいて形成されており、更に、軸５に近いＰ３の位置にも、４個の係入孔１１ｃ，１１ｃ，１１ｃ，１１ｃが形成されたものであり、一方、おもり２０側には、４本の係合突起２０ａ，２０ａ，２０ａ，２０ａが突出形成されたものである。
このような構成では、おもり２０の係合突起２０ａ，２０ａ，２０ａ，２０ａを、係入孔１１ａ，１１ｂ，１１ｃの何れかに係合させて、おもり２０を紙切板４の裏面に着脱可能に取り付けることができるものであり、おもり２０の位置を適宜変更して、紙切板４の加圧力を調整できるものである。
【００１４】
次に、図７に示す紙切板４においては、紙切板４の裏側のＰ１の位置に、左右方向に間隔をおいて４本の係合突起１１ｄ，１１ｄ，１１ｄ，１１ｄが垂下状に突出されており、また、中央部のＰ２の位置にも、４本の係合突起１１ｅ，１１ｅ，１１ｅ，１１ｅが左右に間隔をおいて突出されており、更に、軸５に近いＰ３の位置にも、４本の係合突起１１ｆ，１１ｆ，１１ｆ，１１ｆが突出形成されたものであり、一方、おもり２０側には、４個の係入孔２０ｂ，２０ｂ，２０ｂ，２０ｂが凹状に形成されたものである。
このような構成では、おもり２０の係入孔２０ｂ，２０ｂ，２０ｂ，２０ｂを、係合突起１１ｄ，１１ｅ，１１ｆの何れかに係合させて、おもり２０を紙切板４の裏面に着脱可能に取り付けることができるものであり、おもり２０の位置を適宜変更して、紙切板４の加圧力を調整できるものである。
なお、係合突起１１ｄ，１１ｅ，１１ｆがロールペーパーに引っ掛からないように、紙切板４の裏側の左右側縁には、垂下状に側縁垂下片７，７が設けられており、左右の側縁垂下片７，７間に、おもり２０が配置されるものである。
【００１５】
次に、図８の斜視図で示す紙切板４においては、その裏側の左右に、刃６側から軸５側へ向かって嵌合片１２ａ，１２ｂが間隔をおいて固設されており、各嵌合片１２ａ，１２ｂは、裏面が開放されたコの字状に形成されて、おもりケース２１を嵌め込んで取り付けできるものであり、おもりケース２１ａ内には、複数枚のステンレス板２２を収納させておくことができ、このおもりケース２１を取り付けた状態で、紙切板４の裏側に裏蓋１３を着脱可能に取り付けて、おもりケース２１を隠蔽させることができるように構成されている。
このような構成においても、おもりケース２１の取付位置を変更させて、紙切板４の加圧力を適宜調整することができるものとなり、裏蓋２３が取り付けられることにより、極めてスッキリとした形状の紙切板となる。
【００１６】
次に、図９で示す紙切板４の裏側の左右側縁には、垂下状に側縁垂下片７，７が設けられ、この側縁垂下片７，７のそれぞれの内側には、刃６側から軸５側に向かって間隔をおいて、複数の係合凹部７ａ，７ｂ，７ｃ，７ｄ，７ｅが凹み状に形成されており、一方、おもり２０の左右の側面には、係止突部２３ａを側方へ突出させた板バネ２３が取り付けられており、この板バネ２３の係止突部２３ａを、何れかの係合凹部７ａ，７ｂ，７ｃ，７ｄ，７ｅ内に係合させて、おもり２０の取付位置を適宜変更できるように構成したものである。
このような構成では、板バネ２３の弾性により、おもり２０を紙切板４の裏面に沿って刃６側から軸５側へスライド移動させて、順次カチカチと係合凹部７ａ，７ｂ，７ｃ，７ｄ，７ｅに係合させてゆくことができ、良好に取付位置を変更させることができるものとなる。
【００１７】
次に、図１０に示す紙切板４では、その裏側の左右に、刃６側から軸５側に向かって、複数の挿入支持片１４ａ，１４ｂ，１４ｃ，１４ｄ，１４ｅが設けられ、左右一対の挿入支持片に丸棒２４を挿入させて、取り付けできるように構成されており、丸棒２４を、図１０のように中央部の挿入支持片１４ｃ，１４ｃ間に挿入して取り付けることも、刃６側の挿入支持片１４ａ，１４ａ間に挿入して取り付けることもでき、更には、挿入支持片１４ａ，１４ａ間に丸棒２４を取り付けるとともに、挿入支持片１４ｂ，１４ｂにも丸棒２４を取り付けて、丸棒２４の数を追加して紙切板４の加圧力を調整することができるものとなる。
即ち、丸棒２４の取付位置を変更させて、加圧力を調整することも、更には、丸棒２４の数を追加して、加圧力を調整することもできるものである。
【００１８】
次に、図１１に示す紙切板４においては、紙切板４の表面側に、キャラクターおもり２５を、磁石または両面テープ等で着脱可能に取り付けできるように構成したものであり、このキャラクターおもり２５の取付位置を、刃６側から軸５側間で適宜調整することにより、加圧力が調整できるものである。
即ち、キャラクターおもり２５は、図１１では、竹とんぼの形状に形成されて、中央部に取っ手２５ａが突出され、着脱が容易なものとなっているが、このキャラクターおもり２５は、竹とんぼ形状に限らず、種々の動物の形状や人形の形状、または人気キャラクターの形状等に形成しておくことができ、このようなキャラクターおもり２５を紙切板４の表側に取り付けることにより、紙切板４の意匠性をも高めることができるものとなる。
【００１９】
次に、図１２の側面図で示す紙切板４は、複数の軸５ａ，５ｂ，５ｃが形成されたものであり、このように複数の軸５ａ，５ｂ，５ｃを設けておき、紙巻器１の本体２に対し、何れかの軸５ａ，５ｂ，５ｃを選択して、回動可能に紙切板４を取り付けることにより、本体２に装着されるロールペーパーの上面に、この紙切板４が当接された時に、軸の位置により、その加圧力が変化するために、加圧力を良好に調整できるものとなる。
【００２０】
【発明の効果】
本発明の紙巻器は、装着されたロールペーパーの上面に当接する紙切板を備え、紙切板のロールペーパーへの加圧力を調整できるように構成したことにより、ロールペーパーの紙質に対応させて紙切板の加圧力を調整することにより、あらゆる紙質のロールペーパーを良好に引き出して、片手で切断して使用することができるものとなる。
【００２１】
また、加圧力を発生させることのできるおもりを、紙切板に着脱可能に設けるとともに、おもりは、交換あるいは追加して重さを変更できるように構成したことにより、重さの異なるおもりに交換したり、あるいは、おもりの数を追加して重さを変更させることにより、紙切板の加圧力を良好に調整できるものとなる。
【００２２】
また、加圧力を発生させることのできるおもりを、紙切板に着脱可能に設けるとともに、おもりの取付位置を変更できるように構成したことにより、おもりの取付位置を適宜変更して、紙切板の加圧力を良好に調整できるものとなる。
【００２３】
また、おもりを、紙切板に引掛けて取り付けできるように構成したことにより、紙切板に着脱可能に引掛けて容易におもりを取り付けでき、加圧力の調整が容易なものとなる。
【図面の簡単な説明】
【図１】おもりの取付位置を変更できるように構成した紙巻器の斜視構成図である。
【図２】紙切板の裏側に引掛け片を設けて、引掛け式でおもりを取り付けできるように構成した分解斜視図である。
【図３】図２の紙切板の断面構成図である。
【図４】引掛け片の変更例を示す紙切板の裏側の要部拡大構成図である。
【図５】マジックテープ（登録商標）により、おもりを着脱できるように構成した紙切板の分解斜視図である。
【図６】係合突起と係入孔により、おもりを着脱できるように構成した紙切板の分解斜視図である。
【図７】係合突起と係入孔により、おもりを着脱できるように構成した紙切板の分解斜視図である。
【図８】紙切板の裏面に裏蓋を取り付けできるように構成した分解斜視図である。
【図９】紙切板に複数の係合凹部を設け、おもり側に係止突部を有する板バネを設けた分解斜視図である。
【図１０】紙切板の裏側に複数の挿入支持片を設けて、丸棒を装着できるように構成した紙切板の裏面図である。
【図１１】表側にキャラクターおもりを取り付けできるように構成した紙切板の表側の斜視構成図である。
【図１２】複数の軸を備えた紙切板の側面概略構成図である。
【符号の説明】
１　　紙巻器
２　　本体
３　　支持爪
４　　紙切板
５，５ａ，５ｂ，５ｃ　　軸
６　　刃
７　　側縁垂下片
７ａ，７ｂ，７ｃ，７ｄ，７ｅ　　係合凹部
８ａ，８ｂ，８ｃ，８ｄ　　引掛け片
９　　引掛け片
１０ａ，１０ｂ　　マジックテープ（登録商標）
１１ａ，１１ｂ，１１ｃ　　係入孔
１１ｄ，１１ｅ，１１ｆ　　係合突起
１２ａ，１２ｂ　　嵌合片
１３　　裏蓋
１４ａ，１４ｂ，１４ｃ，１４ｄ，１４ｅ　　挿入支持片
２０　　おもり
２０ａ　　係合突起
２０ｂ　　係入孔
２１　　おもりケース
２１ａ　　おもり収納凹部
２１ｂ　　係止突片
２１ｃ　　ストッパー片
２２　　ステンレス板（おもり）
２３　　板バネ
２３ａ　　係止突部
２４　　丸棒
２５　　キャラクターおもり
Ｐ１，Ｐ２，Ｐ３　　取付位置
【図１】
2004121691.tif 000003
【図２】
2004121691.tif 000004
【図３】
2004121691.tif 000005
【図４】
2004121691.tif 000006
【図５】
2004121691.tif 000007
【図６】
2004121691.tif 000008
【図７】
2004121691.tif 000009
【図８】
2004121691.tif 000010
【図９】
2004121691.tif 000011
【図１０】
2004121691.tif 000012
【図１１】
2004121691.tif 000013
【図１２】
2004121691.tif 000014